(57)【要約】      （修正有）【課題】積み重ねたレジ籠を短時間かつ効率的に殺菌できるレジ籠殺菌装置を提供する。【解決手段】レジ籠殺菌装置１０は、積み重ねたレジ籠１１を出し入れする際に開閉する開閉扉１４を備えて前記レジ籠１１を密閉するケーシング１２と、ケーシング１２内でレジ籠１１を載置する受台１６を備えて受台１６を水平回転させる回転部と、レジ籠１１の上面及び側面に波長２５４ｎｍを主波長とする紫外線を照射する紫外線照射部２０と、レジ籠１１に過酸化水素水を噴霧する過酸化水素水供給部３０と、を有する。【選択図】図１
0003229167.tif 000002
【実用新案登録請求の範囲】
【請求項１】
積み重ねたレジ籠を出し入れする際に開閉する開閉扉を備えて前記レジ籠を密閉するケーシングと、
前記ケーシング内で前記レジ籠を載置する受台を備えて前記受台を水平回転させる回転部と、
前記レジ籠の上面及び側面に波長２５４ｎｍを主波長とする紫外線を照射する紫外線照射部と、
前記レジ籠に過酸化水素水を噴霧する過酸化水素水供給部と、
を有することを特徴とするレジ籠殺菌装置。
【考案の詳細な説明】
【技術分野】
【０００１】
本考案は、スーパーやコンビニなどの小売店で商品を入れるレジ籠を殺菌消毒するレジ籠殺菌装置に関する。
【背景技術】
【０００２】
近年、インフルエンザ、新型コロナウィルス（ＣＯＶＩＤ−１９）などのウィルス感染の拡大を防ぐ手段として、うがい、手洗い、アルコール消毒が有効な手段として慣用化している。日常生活においては小売店でレジ籠を使用する場面が多々あり、店頭にアルコール消毒液を配置しているが、不特定多数の人が触れるレジ籠はウィルス感染のリスクがある。
従来、レジ籠を洗浄する装置として特許文献１に開示の技術がある。しかし多量のレジ籠を自動洗浄する場合、レジ籠の搬送コンベア上に洗浄室を配置した装置構成は広い設置スペースが必要となりコスト高となる。またレジ籠１個ずつの洗浄では時間がかかる。さらに水のみの洗浄では殺菌効果がなく、洗剤液を用いた場合には多量の水が必要となり廃液量も多くなってコストがかかる。
【先行技術文献】
【特許文献】
【０００３】
【特許文献１】特開平６−３１５６７０号公報
【考案の概要】
【考案が解決しようとする課題】
【０００４】
本考案が解決しようとする課題は、上記従来技術の問題点に鑑み、積み重ねたレジ籠を短時間かつ効率的に殺菌できるレジ籠殺菌装置を提供することにある。
【課題を解決するための手段】
【０００５】
本考案は、上記課題を解決するための第１の手段として、積み重ねたレジ籠を出し入れする際に開閉する開閉扉を備えて前記レジ籠を密閉するケーシングと、
前記ケーシング内で前記レジ籠を載置する受台を備えて前記受台を水平回転させる回転部と、
前記レジ籠の上面及び側面に波長２５４ｎｍを主波長とする紫外線を照射する紫外線照射部と、
前記レジ籠に過酸化水素水を噴霧する過酸化水素水供給部と、
を有することを特徴とするレジ籠殺菌装置を提供することにある。
上記第１の手段によれば、多数のレジ籠を短時間かつ効率的に殺菌できるレジ籠殺菌装置を提供できる。紫外線が照射されないレジ籠どうしが重なり合った箇所であってもミスト状の過酸化水素水が浸み込んで殺菌することができる。またミスト状の過酸化水素水は、紫外線照射によってヒドロキシラジカル、スーパーオキシドアニオンなどが生成されて酸化殺菌できる。
【考案の効果】
【０００６】
本考案によれば、多数のレジ籠を短時間かつ効率的に殺菌できるレジ籠殺菌装置を提供できる。
【図面の簡単な説明】
【０００７】
【図１】本考案のレジ籠殺菌装置の斜視図である。
【図２】本考案のレジ籠殺菌装置の正面図である。
【考案を実施するための形態】
【０００８】
本考案のレジ籠殺菌装置の実施形態について、図面を参照しながら、以下詳細に説明する。本考案のレジ籠とはプラスチック製で上面に開口及び取っ手を有し、周面及び底面に複数の孔が形成された籠である。
【０００９】
［レジ籠殺菌装置１０］
図１は、本考案のレジ籠殺菌装置の斜視図である。図２は、本考案のレジ籠殺菌装置の正面図である。図示のように本考案のレジ籠殺菌装置１０は、積み重ねたレジ籠１１を出し入れする開閉扉１４を備えて前記レジ籠１１を密閉するケーシング１２と、前記ケーシング１２内で前記レジ籠１１を載置する受台１６を備えて前記受台１６を水平回転させる回転部１８と、前記レジ籠１１の上面及び側面に波長２５４ｎｍを主波長とする紫外線を照射する紫外線照射部２０と、前記レジ籠１１に過酸化水素水を噴霧する過酸化水素水供給部３０と、を有している。
ケーシング１２は、積み重ねたレジ籠１１、例えば５０個のレジ籠１１を収容可能な箱型の容器であり、正面に取っ手付きの開閉扉１４を有している。ケーシング１２本体は、所定強度を備えたアルミ、ステンレス等の金属製の部材を用いて形成し、開閉扉１４は一部ガラスを採用して内部が視認できるようにしている。
ケーシング１２の内部には下方にレジ籠１１を載置する受台１６を配置している。受台１６の下面には回転部１８を設けている。回転部１８は電動モータを備え、電動モータの回転軸を垂直に配置して受台１６を水平回転させている。回転部１８は、例えば１回転あたり１５秒で２回転した後に停止するように設定している。
【００１０】
紫外線照射部２０は、波長２５４ｎｍを主波長とし、線量２５〜４０ｍＪ／ｃｍ２とする紫外線を照射する低圧紫外線ランプであり、ケーシング１２内の上面と、左右側面に設けている。波長２５４ｎｍの紫外線は、細菌細胞破壊及びウィルスのＲＮＡ塩基鎖を断裂破壊して殺菌する作用を有する。
過酸化水素水供給部３０は、散布ノズル３２と、貯蔵タンク３４と、配管３６からなる。散布ノズル３２はケーシング１２内の上面に２か所設けている。貯蔵タンク３４はケーシング１２の外周側面に取り付けている。配管３６は、ケーシング１２の外周側面及び外周上面に沿って、ケーシング１２内の散布ノズル３２とケーシング１２外周の貯蔵タンク３４を接続している。貯蔵タンク３４には、水溶液６％〜１０％濃度の過酸化水素水を貯蔵している。散布ノズル３２は、液体の過酸化水素水を粒径が数μｍのミストを１殺菌工程あたり５ｃｃほど噴霧できるように設定している。
ケーシング１２内で散布されたミスト状の過酸化水素水は、波長２５４ｎｍの紫外線によって反応してヒドロキシラジカル、スーパーオキシドアニオンなどが生成されて酸化殺菌する作用を有する。
なお紫外線照射部２０及び過酸化水素水供給部３０は、回転部１８が回転している間、照射及び噴霧し続ける。そして回転部１８が停止するといずれも自動停止するように制御されている。特に開閉扉１４が開放している間は紫外線照射部２０から紫外線が照射されないようにして、作業者に紫外線が照射されないように設定している。
【００１１】
［レジ籠殺菌方法］
上記構成による本考案のレジ籠殺菌装置１０を用いた殺菌方法について以下説明する。５０個ほど積み重ねたレジ籠１１を開閉扉１４が開放されたケーシング１２の受台１６上に載置する。開閉扉１４を閉じた後に、ケーシング１２の外周に設けたスタートボタン（不図示）を押下すると回転部１８が作動する。回転部１８はあらかじめ所定回転後に自動停止、一例として１回転あたり１５秒で２回転した後に停止するように設定されいる。その間、ケーシング１２内のレジ籠１１の上面及び左右側面に配置された紫外線照射部２０により波長２５４ｎｍを主波長とし、線量２５〜４０ｍＪ／ｃｍ２とする紫外線が照射される。また、ケーシング１２内のレジ籠１１の上面から過酸化水素水供給部３０の散布ノズル３２から過酸化水素水の数μｍミストが噴霧される。
このようなケーシング１２内では、波長２５４ｎｍを主波長とする紫外線照射によってレジ籠１１上面及び外周を殺菌できる。また重なり合ったレジ籠１１の外周の孔から内側のレジ籠１１にも紫外線が照射されて効率的に殺菌できる。
また数μｍのミスト状の過酸化水素水が内部空間に充満して、レジ籠１１の表面を殺菌できる。ミスト状の過酸化水素水はレジ籠１１どうしが重なり合った箇所及びレジ籠１１の孔に浸み込んで殺菌することもできる。
ケーシング１２内のミスト状の過酸化水素水は、紫外線照射によってヒドロキシラジカル、スーパーオキシドアニオンなどが生成されて酸化殺菌できる効果も有する。
なお、紫外線照射部２０からの紫外線と共に管面からの発熱（４０度前後）によってレジ籠１１に付着したミスト状の過酸化水素水は、殺菌工程後に乾燥できる。
【００１２】
このような本考案によれば、多数のレジ籠を短時間かつ効率的に殺菌できるレジ籠殺菌装置を提供できる。紫外線が照射されないレジ籠どうしが重なり合った箇所であってもミスト状の過酸化水素水が浸み込んで殺菌することができる。またミスト状の過酸化水素水は、紫外線照射によってヒドロキシラジカル、スーパーオキシドアニオンなどが生成されて酸化殺菌できる。
以上、本考案の好ましい実施形態について説明した。しかしながら、本考案は、上記実施形態に何ら制限されることなく、本考案の主旨を逸脱しない範囲において、種々の変更が可能である。
また、本考案は、実施形態において示された組み合わせに限定されることなく、種々の組み合わせによって実施可能である。
【符号の説明】
【００１３】
１０  レジ籠殺菌装置
１１  レジ籠
１２  ケーシング
１４  開閉扉
１６  受台
１８  回転部
２０  紫外線照射部
３０  過酸化水素水供給部
３２  散布ノズル
３４  貯蔵タンク
３６  配管
【図１】
0003229167.tif 000003
【図２】
0003229167.tif 000004